(57)【要約】【課題】  複数のユーザの操作によって表示される表示オブジェクトを対応するユーザ属性に応じた処理を行って表示部に表示させることにより、一つの表示領域に表示される表示オブジェクトをユーザ毎に区別して処理することのできる表示装置を提供する。また、このようにユーザの操作による表示オブジェクトの処理を表示装置が行う構成としたことで、管理装置と表示装置との間のトラフィックと管理装置の処理負荷を軽減した表示システムを提供する。【解決手段】  表示オブジェクトに対するユーザの操作を受け付け、前記操作を行ったユーザを識別し、前記識別したユーザを示すユーザ属性と前記表示オブジェクトを対応付け、前記表示オブジェクトについて対応するユーザ属性に応じた処理を行って画像データを生成し、前記画像データを表示部に表示させる。【選択図】    図１
2006287638.tif 000002
【特許請求の範囲】
【請求項１】
表示オブジェクトに対するユーザの操作を受け付ける操作部と、
前記操作を行ったユーザを識別するユーザ識別部と、
前記ユーザ識別部で識別したユーザを示すユーザ属性と前記表示オブジェクトとを対応付ける属性記録部と、
前記表示オブジェクトについて対応するユーザ属性に応じた処理を行って画像データを生成する画像処理部と
前記画像データの表示を行う表示部と、
を備える表示装置。
【請求項２】
前記表示オブジェクトをネットワーク上の管理装置から受信するオブジェクト取得部を備えた請求項１に記載の表示装置。
【請求項３】
表示装置が、
表示オブジェクトに対するユーザの操作を受け付けるステップと、
前記操作を行ったユーザを識別するステップと、
前記識別したユーザを示すユーザ属性と前記表示オブジェクトを対応付けるステップと、
前記表示オブジェクトについて対応するユーザ属性に応じた処理を行って画像データを生成するステップと
前記画像データを表示部に表示させるステップと、
を行う表示方法。
【請求項４】
表示オブジェクトに対するユーザの操作を受け付けるステップと、
前記操作を行ったユーザを識別するステップと、
前記識別したユーザを示すユーザ属性と前記表示オブジェクトを対応付けるステップと、
前記表示オブジェクトについて対応するユーザ属性に応じた処理を行って画像データを生成するステップと
前記画像データを表示部に表示させるステップと、
をコンピュータに実行させる表示プログラム。
【請求項５】
ネットワークを介して接続する表示装置と管理装置とからなる表示システムであって、
前記表示装置が、
前記管理装置から表示オブジェクトを受信するオブジェクト取得部と、
表示オブジェクトに対するユーザの操作を受け付ける操作部と、
前記操作を行ったユーザを識別するユーザ識別部と、
前記ユーザ識別部で識別したユーザを示すユーザ属性と前記表示オブジェクトを対応付けて記録する属性記録部と、
前記表示オブジェクトについて対応するユーザ属性に応じた処理を行って画像データを生成する画像処理部と
前記画像データの表示を行う表示部と、
を備える表示システム。
【発明の詳細な説明】
【技術分野】
【０００１】
本発明は、複数ユーザに対してオブジェクトの表示を行う技術に関する。
例えば、街頭のディスプレイや、空港の案内表示板のように、多数の人が利用する場所に表示装置を設置し、それぞれの人のリクエストに応じ、ネットワークを介して配信した情報を該表示装置に表示させる、所謂リモートディスプレイに関する。
【背景技術】
【０００２】
この技術分野の適用製品としては、例えばクライアントーサーバー構成の標準的なＰＣ製品に加えて、通常、組み込みプロセッサで動作する、シンクライアント端末、ワイヤレスディスプレイ装置、ワイヤレステレビなどの、非ＰＣ製品（組込み製品）群などがあげられる。
【０００３】
該適用製品の後者の例に見られるような、組込みプロセッサで動作する製品市場は、ユビキタス市場の拡大と共に、大きく成長すると言われている。今後は、これらの製品群に加えて、より様々な装置に、コンピュータ機能が組み込まれると考えられており、特に、今後重要視される組込み装置は、大画面を有して、壁などの住環境に組み込まれうる表示装置、すなわち、大型ディスプレイ装置、投影装置（プロジェクター）、電子ペーパーなどが考えられる。
【０００４】
これらの表示装置は、環境に溶け込み、さまざまなユビキタスソリューションをユーザに提供するため、駅や空港に限らず、公共施設や、電車、バス、個人宅など、あらゆる生活の場に設置され、ユーザがいつでもネットワーク上のソリューションを利用できる環境を構成するようになると考えられている。本技術分野は、このようなユビキタス環境を構成する上で、基礎をなす技術と位置づけられる。
【０００５】
上記表示装置を実現する技術として、従来、図１２や図１３に示す技術があった。
（１）ＲＤＰ（Remote Desktop Protocol）を用いたシステム
図１２のシステムでは、サーバー１０２のディスクテップ画面をＲＤＰにより、リモートディスプレイ装置１０１に伝送して表示させている。この場合、サーバー１０２のデスクトップ画面を、エミュレーションしてリモートディスプレイ装置１０１で表示しているため、１対１の利用に限定される。
（２）圧縮・伝送を用いたシステム
図１３のシステムでは、遠隔表示させる画像全体を管理装置１０２でキャプチャリングし、圧縮（エンコード処理）した後、リモートディスプレイ装置１０１に伝送し、リモートディスプレイ装置１０１側で、伸長（デコード処理）して、表示・再生している。このとき時間軸の差分圧縮も行うのがMPEG方式で、連続した静止画として処理するのが、MotionJPEG方式である。
【０００６】
また、本願発明に関連する先行技術として、例えば、下記の特許文献１に開示される技術がある。
【０００７】
【特許文献１】特開２００１−２５１５９４号公報
【非特許文献１】マイクロソフト社WEBサイト  http://www.microsoft.com/windows2000/techinfo/howitworks/terminal/rdpfandp.asp
【発明の開示】
【発明が解決しようとする課題】
【０００８】
（１）描画制御方式の効率化の課題
上記従来例では、ユビキタス環境を実現するための課題の一部を解決するものの、いぜんとして多くの問題点を有している。
【０００９】
例えばＲＤＰを用いたシステムでは、プロトコルレベルが、Genericなために、リモー
トディスプレイ装置１０１に、相応のＣＰＵとＶＧＡ処理部が必要とされ、安価に構成できない問題があった。また、特定のサーバーでは（例えば、Windows2000サーバー、（Windowsは登録商標））、複数クライアントの対応がなされているものの、クライアント側の入力をそのままリダイレクトしているため、管理装置（管理サーバー）１０２の負荷が高く、快適に使えるものではなかった。
【００１０】
また、圧縮・伝送を用いたシステムでは、管理サーバー１０２とリモートディスプレイ装置１０１とを１対１で構成するのが一般的であり、１台の管理サーバー１０２で、複数のリモートディスプレイ装置１０１に対して効率的に表示を実行させることは困難であった。そしてこのシステムでは、膨大なレンダリング情報を含む描画データを伝送するため、送り側の管理サーバー１０２では、描画データを生成するためのエンコード処理を行う必要があり、受け側のリモートディスプレイ装置１０１では、描画データのデコード処理を行う必要があり、この装置間のネットワークには、該描画データを伝送するための帯域を確保する必要がある。このため、送り側・受け側の双方に高度な処理能力と、広帯域のネットワーク接続とを必要とし、一般的な情報処理装置を１対１で接続する以上のコストを要することが、通常であった。
【００１１】
（２）多数展開した場合のコスト面の課題
通常、大画面ディスプレイ装置に表示を行う場合、ディスプレイ装置は、まず、ＰＣ（Personal Computer）を接続した上で、ネットワークに接続する必要があった。壁一面に
、多くの大画面ディスプレイ装置を組み込むことを考えた場合、大画面ディスプレイだけでなく、それと対応したＰＣも近くに配置する必要があるため、全体システムを低価格に構築することは困難であった。また、ディスプレイ以外にＰＣ本体の格納場所も必要であり、システムを構成する上で、スペース的な制約が大きかった。さらに、台数が多くなるにつれ、それぞれのＰＣのメンテナンスを行う作業負荷も高くなるため、長期的な継続運用は困難であった。
【００１２】
（３）ユーザ操作に対する処理の課題
上記従来例では、ディスプレイ装置側でユーザが操作を行うと、この操作情報を管理サーバーへ送信し、サーバーが該操作に応じた処理を行って画像データを生成し、該画像データをディスプレイ装置へ送信して表示させている。このため、ユーザがカーソルを移動させたり、ウインドウの大きさを変更したりといった些細な操作を行った場合にも、管理サーバーは、これに応じた画像データを生成して逐一ディスプレイ装置に送る必要があり、管理サーバーのリソースやネットワーク帯域を多大に消費するものであった。
【００１３】
また、このようなディスプレイ装置は、複数のユーザが利用することになるが、従来複数のユーザが同時に操作できるものではなかった。例えば情報の検索をしたり、履歴情報を選択して表示させたりといった入力を伴う操作は、実質一人に限定されていた。この制約を解消するために、複数の入力デバイスを設けて複数ユーザが同時に入力操作できる構成にすることが、考えられるが、単に入力デバイスを複数にしたのでは、各ユーザによる表示が一つの表示領域中に無作為に混在することになるため現実的ではない。
【００１４】
そこで本発明は、複数のユーザの操作によって表示される表示オブジェクトを対応するユーザ属性に応じた処理を行って表示部に表示させることにより、一つの表示領域に表示される表示オブジェクトをユーザ毎に区別して処理することのできる表示装置を提供する
。
【００１５】
また、このようにユーザの操作による表示オブジェクトの処理を表示装置が行う構成としたことで、管理装置と表示装置との間のトラフィックと管理装置の処理負荷を軽減した表示システムを提供する。
【課題を解決するための手段】
【００１６】
上記課題を解決するため、本発明は、以下の構成を採用した。
即ち、本発明の表示装置及び表示方法は、
表示オブジェクトに対するユーザの操作を受け付け、
前記操作を行ったユーザを識別し、
前記識別したユーザを示すユーザ属性と前記表示オブジェクトを対応付け、
前記表示オブジェクトについて対応するユーザ属性に応じた処理を行って画像データを生成し、
前記画像データを表示部に表示させる。
【００１７】
また、前記ユーザの識別情報を受信し、登録済みの情報と比較してユーザ認証を行っても良い。
前記ユーザによる前記表示オブジェクトの表示操作を受け付けた場合、
前記表示部の表示領域中の少なくとも一部に設定した前記ユーザのパーソナルキャンパスに当該表示オブジェクトを表示させても良い。
【００１８】
ＩＤカード、ＲＦＩＤタグ、メモリー等の記録媒体からユーザ情報を読み取るステップを更に含み、
前記ユーザの操作を受け付ける際、ユーザの操作による入力情報の受付に代えて、前記記録媒体から読み取ったユーザ情報を受け付けても良い。
【００１９】
また、前記ユーザの操作を受け付ける際、前記ユーザ情報を選択的に受け付けても良い。
前記パーソナルキャンパスに、ユーザ情報に応じたメニューを表示させても良い。
前記ユーザの操作を受け付ける際、ユーザによる前記表示オブジェクトの移動操作を受け付けた場合に、
該移動操作に応じて当該ユーザの表示オブジェクトを前記表示領域中で移動して表示させても良い。
【００２０】
前記ユーザの操作を受け付ける際、ユーザによる前記表示オブジェクトの選択を受け付けた場合に、
当該ユーザと対応付けられた表示オブジェクトを前記表示領域中の所定の位置に移動して表示させても良い。
【００２１】
前記表示オブジェクトのランキング情報に応じて複数の表示オブジェクトの並べ替えを行っても良い。
前記表示オブジェクトのユーザ情報に応じて複数の表示オブジェクトの並べ替えを行っても良い。
【００２２】
前記ユーザの位置を識別し、
該ユーザの位置に応じて当該ユーザと対応付けられた表示オブジェクトの表示サイズを制御しても良い。
前記表示部にリンク情報を表示させ、該リンク情報が選択された場合に、該リンク情報と対応付けられた表示オブジェクトを表示させても良い。
【００２３】
前記リンク情報が、過去に表示部に表示された表示オブジェクトの履歴情報であっても良い。
前記ユーザの操作を受け付けるステップにて、ユーザの音声による操作を受け付けても良い。
【００２４】
グループ化する複数の表示オブジェクトに対してグループＩＤを付加し、
該グループＩＤで特定される複数の表示オブジェクトを一括して処理しても良い。
前記ユーザ情報で特定される複数の表示オブジェクトを一括して処理しても良い。
複数の表示オブジェクトが互いの従属関係を示す従属情報を有し、
該従属情報に基づいて複数の表示オブジェクトを表示させても良い。
【００２５】
前記従属情報に基づき、主の表示オブジェクトに対して所定の位置関係で従の表示オブジェクトを表示させても良い。
複数の表示オブジェクトを比較し、これら表示オブジェクトの相関関係を求めるステップを更に行っても良い。
複数の表示オブジェクトを比較し、これら表示オブジェクトの相違を求めるステップを更に行っても良い。
【００２６】
複数の表示オブジェクトを比較し、ランキング情報を生成しても良い。
複数の操作部をそれぞれ操作する複数のユーザによる入力操作を受け付けても良い。
前記複数の操作部が、ポインティングデバイスであっても良い。
前記画像データを他の表示装置に送信して表示させるステップを更に行っても良い。
【００２７】
前記表示部に表示した表示オブジェクトを複写して又は切り取って他の表示装置に送信し、表示させるステップを更に行っても良い。
【００２８】
前記表示部の表示領域中を移動させて表示オブジェクトを表示する場合に、該表示オブジェクトを該移動方向に並設した他の表示装置に送信して表示させても良い。
【００２９】
前記ユーザを識別するステップにて、ユーザの移動を識別し、
該ユーザと対応するパーソナルキャンパスを該ユーザの移動に伴って前記表示部の表示領域中を移動させて表示しても良い。
ユーザを撮影し、
該撮影画像に基づいてユーザの動きを認識し、
該ユーザの動きに応じ、当該ユーザと対応する表示オブジェクトの表示を行っても良い。
【００３０】
ユーザを撮影し、
該撮影画像に基づいてユーザの分布を認識し、
該ユーザの分布に応じて表示オブジェクトの表示を行っても良い。
ユーザ端末との通信を行い、
前記表示部に表示した表示オブジェクトの履歴情報を前記ユーザ端末に送信しても良い。
【００３１】
ユーザ端末との通信を行い、
ユーザが操作した表示オブジェクトの履歴情報をユーザ情報に基づいて当該ユーザのユーザ端末へ送信しても良い。
前記ユーザ端末との通信を行い、前記ユーザ端末から履歴情報を受信した場合、
該履歴情報に基づいて表示オブジェクトを表示させても良い。
前記表示オブジェクトをネットワーク上の管理装置から受信しても良い。
【００３２】
また、本発明は、上記表示方法をコンピュータに実行させる表示プログラムであっても良い。更に、本発明は、この表示プログラムをコンピュータが読み取り可能な記録媒体に記録したものであっても良い。コンピュータに、この記録媒体のプログラムを読み込ませて実行させることにより、その機能を提供させることができる。
【００３３】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
【００３４】
また、コンピュータに固定された記録媒体としてハードディスクやＲＯＭ（リードオンリーメモリ）等がある。
【発明の効果】
【００３５】
本発明によれば、複数のユーザの操作によって表示される表示オブジェクトを対応するユーザ属性に応じた処理を行って表示部に表示させることにより、一つの表示領域に表示される表示オブジェクトをユーザ毎に区別して処理することのできる表示装置を提供できる。
【００３６】
また、このようにユーザの操作による表示オブジェクトの処理を表示装置が行う構成としたことで、管理装置と表示装置との間のトラフィックと管理装置の処理負荷を軽減した表示システムを提供できる。
【発明を実施するための最良の形態】
【００３７】
図１は、本発明に係る表示システムの概略図である。
本例の表示システム１０は、複数の表示装置１と管理サーバー２とからなっている。ユーザの操作により、コンテンツ（表示オブジェクト）の表示が選択されると、表示装置１が、該コンテンツを管理サーバー２に要求し、該コンテンツを管理サーバー２が情報配信サーバー３から取得して表示装置１に送信し、該コンテンツを表示装置１が表示する。
【００３８】
図２は、表示装置１のハードウェア構成を示す図、図３は、表示装置１のソフトウェア構成を示す図である。
【００３９】
図２に示すように、本実施形態の表示装置１は、プロセサ１１、メモリ（記録部）１２、入出力部１３等を備えている。
該入出力部１３としては、コンテンツの表示を行う表示部１４や、コンテンツ（動画や音楽）の再生時に音を出力するスピーカ２０、ユーザの操作を受け付ける操作部としての操作ボタン３１、タッチパネル３２、マイク３３、ユーザの位置や動きを検出する検出部としての個人情報読取部４１、位置センサ４２、カメラ(撮影装置)４３、ユーザ情報を読み取る読取部としてのＲＦＩＤリーダライタ４４、カードリーダ４５、ＰＣＭＣＩＡコントローラ４６、ＦＬＡＳＨメモリスロット４７、他のコンピュータやデバイスとの通信を制御する通信部としてのブルートゥース（登録商標）５１、イーサネット（登録商標）コントローラ５２、ＵＷＢ５３、無線ＬＡＮ５４を有している。
【００４０】
メモリ１２は、プロセサ１１から高速にアクセス可能で、キャッシュ等として用いるＤＲＡＭのほか、組み込みＯＳを記録したＥＰＲＯＭ、ユーザテーブルやユーザ認証用のデータ、ユーザ情報を記憶するＦｌａｓｈＲＡＭ等よりなっている。なお、メモリ１２は本
例の構成に限定するものではなく、利用目的に応じて任意に設定できる。
【００４１】
また、プロセサ１１は、メモリ１２や入出力部１３からの情報を処理することにより、ユーザ識別部や、属性記録部、画像処理部、分析部（オブジェクト分析部）、表示連携部、ユーザ連携部、コンテンツ取得部（オブジェクト取得部）としても機能する。
【００４２】
このユーザ識別部としては、検出部で検出したユーザの情報に基づいて前記入力操作等を行ったユーザを識別する。
属性記録部としては、前記ユーザ識別部で識別したユーザを示すユーザ属性と前記表示オブジェクトを対応付け、この対応関係をメモリ１２のユーザテーブルに記録する。
【００４３】
画像処理部としては、コンテンツについて対応するユーザ属性に応じた処理を行って画像データを生成する。
分析部としては、複数の表示オブジェクトを比較し、これら表示オブジェクトの相関関係や、これら表示オブジェクトの相違、ランキング情報の生成を行う。
【００４４】
表示連携部としては、前記表示部１４に表示した表示オブジェクトを複写して又は切り取って他の表示装置に送信したり、表示領域中を移動させて表示させる表示オブジェクトを移動先の表示装置に送信したり、といった他の表示装置と連携して表示を行うための通信を行う。
【００４５】
ユーザ連携部としては、前記表示部１４に表示した表示オブジェクトの履歴情報を前記ユーザ端末に送信したり、ユーザが操作した表示オブジェクトの履歴情報をユーザ情報に基づいて当該ユーザのユーザ端末へ送信したり、といったユーザ端末と連携して表示を行うための通信を行う。
コンテンツ取得部としては、前記表示オブジェクトをネットワーク上の管理装置２から受信する。
【００４６】
図４は、管理サーバー２の概略構成図である。図４に示すように、管理サーバー２は、本体２１内にＣＰＵ（central processing unit）やメインメモリ等よりなる演算処理部
２２、演算処理の為のデータやソフトウェアを記憶した記憶部（ハードディスク）２３、入出力ポート２４、通信制御部（ＣＣＵ：Communication Control Unit）２５等を備えた一般的なコンピュータである。
【００４７】
演算処理部２２は、前記ＯＳやアプリケーションプログラムを記憶部２３から適宜読み出して実行し、入出力ポート２４や通信制御部２５から入力された情報、及び記憶部２３から読み出した情報を演算処理することにより、オブジェクト配信部や管理部としても機能する。
【００４８】
この配信部としては、表示装置１からコンテンツのリクエストを受信した場合に、該コンテンツを記憶部２３や情報配信サーバー３から取得して、表示装置１に配信する。
管理部としては、ユーザ認証用の情報や、最新のドライバ等、メンテナンスのための情報を各表示装置に送信する。
【００４９】
図５は、本表示システム１０における表示方法の説明図である。
ユーザがコンテンツに対する入力操作を行うと、表示装置１は、このユーザの操作を受け付け（ステップ１、以下Ｓ１のように略記する）、この操作に応じた処理を行う。ここで、入力操作がコンテンツの表示であれば、該コンテンツがメモリ１２内のキャッシュに記憶されているか否かを判定し、記憶されていなければ、コンテンツ取得部が管理装置２に該コンテンツをリクエストする（Ｓ２）。
また、表示装置は、識別部の機能により、この操作を行ったユーザを識別する（Ｓ３）。
【００５０】
このリクエストを受信した管理サーバー２は、配信部の機能により情報配信サーバー３からコンテンツを取得し（Ｓ４，Ｓ５）、表示装置１に送信する（Ｓ６）。
【００５１】
表示装置１は、受信した該コンテンツと前記識別したユーザを示すユーザ属性との対応付けをユーザテーブルに登録（記憶）する（Ｓ７）。
そして、表示装置１は、画像処理部の機能により、前記コンテンツについて対応するユーザ属性に応じた処理を行って画像データを生成し（Ｓ８）、この画像データを表示部１４に表示させる（Ｓ９）。
【００５２】
この表示方法についての具体例を以下に説明する。
〈具体例１〉
図６は、表示装置１の前面図である。図６に示すように、表示装置１の前面には、複数の操作板３０Ａ−３０Ｆと表示部１４とが配置され、二点鎖線で示した部分が表示部１４の表示領域である。
【００５３】
操作板３０Ａ−３０Ｆには、操作部３１や、スピーカ２０、マイク３３、カードリーダ４５が配置されている。
【００５４】
ユーザが操作板３０Ａ−３０Ｆの何れか、例えば操作板３０Ａのカードリーダ４５にＩＤカード（磁気カード、ＩＣカード等）を読ませると、表示装置１は、このユーザのＩＤ（識別情報）を読み出し、予め登録されている認証用データと比較して認証を行う。該ＩＤが認証用データと一致した場合、表示装置１は、当該ユーザが操作板Ａからログインしたことを認識し、ログオフするまで、該操作板Ａからの操作は該ユーザが行ったものと識別する。
【００５５】
図７に示すように、表示部１４に複数のコンテンツＧ１−Ｇ３０を表示した場合に、ユーザが何れかを選択する操作を行うと、属性記録部がこの選択したコンテンツ（図７の例ではＧ４）と当該ユーザのユーザ属性とを対応付けてユーザテーブルに記憶させ、画像処理部が、このユーザ属性に基づき当該ユーザのパーソナルキャンパス（破線部分）６１ＡにコンテンツＧ４を移動又は複写した画像データを作成し、表示部１４に表示させる。ここで、パーソナルキャンパスとは、各ユーザが占有している領域であり、上記のように所望のコンテンツを選択した場合等に画像処理部が設定する。このパーソナルキャンパスは、任意の位置に設定して良いが、本例では、ユーザ属性に基づき当該ユーザが操作する操作板３０Ａ−３０Ｆの直近に設定している。なお、本例では、前記コンテンツがどの位置に表示されているかや、どのユーザのパーソナルキャンパスがどこに設定されているかについても属性記録部がユーザテーブルに記憶させている。表示部１４の表示領域中、このパーソナルキャンパス以外の領域が共通キャンパスであり、表示装置１は、ユーザテーブルを参照して、このパーソナルキャンパスが設定されていない領域、即ち共通キャンパスに、管理サーバー２から新たなコンテンツを定期的に取得して表示させる。
【００５６】
これにより、ユーザは、表示装置１の共通キャンパスに表示されたコンテンツから気に入ったものを選択し、パーソナルキャンパスに移して詳細に検討するといった利用ができる。例えば、コンテンツとして映画の予告を共通キャンパスに表示させておき、これに興味をもったユーザは、パーソナルキャンパスに移すことで、始めから再生させる、個別のスピーカ２０から音声も再生させる、キャストや上映場所等の詳細情報を手元に表示させるといった個人的な利用が可能になる。なお、パーソナルキャンパスには、６１Ｂ、６１Ｃのように複数のコンテンツを表示させても良い。更に一つの操作板３０に複数のＩＤを
読み取らせることで、複数のユーザＢ，Ｃが一つのパーソナルキャンパス６１Ｂを共用しても良い。
【００５７】
ここで表示装置１は、コンテンツの移動や、コンテンツの再生などの動作をローカルに行っている。従来のシステムであれば、コンテンツの選択や移動の操作により表示画像が変化する場合には、サーバー側でこの操作に応じた画像データを作成して逐一表示装置に送信していた為、ネットワークやサーバーにかかる負荷が高かった。これに対し本実施形態の表示装置１では、管理サーバーからコンテンツを受信した後のコンテンツの選択や移動に応じた画像データは、表示装置側の画像処理部が生成するため、ネットワーク帯域やサーバーのリソースの消費が抑えられる。
【００５８】
また、コンテンツは、旅行やコンサートの広告であっても良い。この広告の表示を見て気に入ったユーザは、パーソナルキャンパスに移して申し込みフォームを表示させ、操作板３０から必要事項を入力して管理サーバー２或は情報配信サーバー３に送信することで旅行やコンサートの申し込みを行うことができる。ここで必要事項の入力操作は、操作ボタン３１による受付に代えて、ＩＤカードからカードリーダ４５で読み出したユーザ情報を受け付けても良い。
【００５９】
例えば、ＩＤカードに、住所、氏名、電話番号、生年月日、クレジット番号等をユーザ情報として記憶しておくと共に、管理サーバー２から配信する申し込みフォームに必要事項をメタ情報として付加しておく。
【００６０】
これにより表示装置１は、該申し込みフォームを受信した際に、このメタ情報に基づいて「住所・氏名・クレジット番号を入力しますか？」のように入力を促すメッセージを表示させ、入力が選択された場合には、該住所・氏名・クレジット番号をＩＤカードから選択的に読み出して管理サーバー２へ送信する。このようにＩＤカードに予め記憶した情報を入力できるように構成したことにより、キーボードのように、任意の文字を入力できない環境であっても容易に情報入力操作を行うことができる。また、頻繁に繰り返し入力する氏名や住所等の情報について効率よく入力できる。更に、入力情報を表示部に表示させる必要がなく、表示部を複数のユーザが共用する環境であっても安全に個人情報を入力することができる。
【００６１】
なお、ユーザ情報を記憶しておく媒体は、ＩＤカードに限らずＲＦＩＤタグや半導体メモリなどであっても良い。
【００６２】
また、コンテンツにランキング情報が付加されている場合には、このランキング情報に応じて複数の表示オブジェクトの並べ替えを行うことができる。
【００６３】
例えば、コンテンツがＣＤのプロモーションビデオであって、販売枚数やリクエスト数（選択された回数）などのランキング情報が付加されている場合に、ユーザが並べ替えを指示する操作を行うと、表示装置１の画像処理部は、該ユーザと対応付けられているコンテンツのランキング情報に基づいて、これらのコンテンツを昇順或いは降順に並べ替えて表示する。
【００６４】
また、複数のコンテンツの並べ替えを行う場合に、該コンテンツのユーザ情報に応じて並べ替えを行っても良い。例えば、同じユーザと対応付けられているコンテンツは、重ねて表示し、他のユーザと対応付けられているコンテンツとは重ならないように表示する。或いはユーザの興味があるジャンルの順をユーザ情報として記録しておき、コンテンツの属性として付加されたジャンルに基づいてコンテンツを並べ替えて表示しても良い。
【００６５】
各ユーザのパーソナルキャンパスには、図８に示すようにメニュー６２を表示させることができる。該メニュー部６２は、共通メニュー部６２Ａと個人メニュー部６２Ｂとからなり、個人メニュー部６２Ｂは、表示内容をカスタマイズ可能である。各ユーザがカスタマイズした個人メニュー部６２Ｂの表示内容は、ユーザ情報としてメモリ１２に記憶させておき、ユーザがログインした際に当該ユーザの表示内容を読み出して個人メニュー部６２Ｂの表示を行う。
これにより、パーソナルキャンパス内のオブジェクトに対する操作を行う際に、統一的な操作環境を提供できる。また、オブジェクト間にまたがった操作を実現できる。
【００６６】
また、コンテンツの選択や移動といった操作を行う操作部としては、操作ボタン３１のほか、タッチパネル３２や、ポインティングデバイスが利用できる。該ポインティングデバイスとしては、無線ＬＡＮ５１やブルートゥース５４によって接続するワイヤレスのデバイスとするのが望ましい。更にコンテンツの操作は、マイク３３からユーザの音声による指示を入力し、音声認識により指示内容を認識して操作を行うものであっても良い。
【００６７】
また、本例では、複数のコンテンツをグループ化することができる。ユーザが操作板３０から複数のコンテンツを選択して、グループ化を指示した場合、表示装置１は、該複数のコンテンツに対して共通のグループＩＤを付加する。そして該グループ化されたコンテンツのいずれかに対して移動や削除の操作が行われた場合、画像処理部は、同じグループＩＤをもつコンテンツを一括して移動や削除を行って表示する。
【００６８】
また、前記コンテンツに従属関係を示す従属情報が付加されている場合、画像処理部は、この従属情報に基づいた位置関係で表示を行う。
【００６９】
例えば、パソコンの画像とその仕様、車の映像と諸元など、関連のあるコンテンツについて主のコンテンツと従のコンテンツを従属情報で定めておき、主のコンテンツの下に従のコンテンツを表示するなど、所定の位置関係で表示を行う。そしてこのコンテンツを移動させる場合にも、この位置関係を保ったまま移動を行う。
【００７０】
また、本例では、パーソナルキャンパスに表示させた複数のコンテンツを分析部の機能により、比較・分析することができる。
【００７１】
コンテンツとして複数の車の画像を表示させ、基準となる車の画像を指定したときに、類似した形状の車の画像を抽出する。或いはコンテンツとしてパソコンの仕様を複数表示させた場合に、各コンテンツ間で異なる部分を求める。また、この比較の結果、価格の安い順や性能の高い順などでランキング情報を作成しても良い。
【００７２】
〈具体例２〉
図９は、複数の表示装置を並設した場合の連携例を示している。本例では、複数の表示装置１Ａ，１Ｂにかけてコンテンツ（図９ではＧ４）の移動又は複写の操作が行われた場合、このコンテンツＧ４を表示装置間で送信することにより、複数装置にわたる操作を可能にしている。例えば、表示装置１Ａの操作板３０からコンテンツＧ４を表示装置１Ｂの位置６３に移動させる操作が行われた場合、表示装置１Ａの連携部は、このコンテンツＧ４を切り取り、移動先の情報（位置６４）と共に表示装置１Ｂへ送信する。そして該コンテンツＧ４を受信した表示装置１Ｂは、画像処理部が、該コンテンツＧ４を位置６４に表示させる。
【００７３】
また、本例の表示装置１Ａは、コンテンツとしてテロップ情報を受信した場合、このテロップ情報をテロップ表示領域６５の右から左へ移動させながら表示すると共に、該移動方向に並設した表示装置１Ｂにこのテロップ情報を送信する。そして該テロップ情報を受
信した表示装置１Ｂが、同様にテロップ表示領域６５の右から左へ移動させながら表示を行うことで、複数装置間にわたってテロップ表示を行うことができる。
【００７４】
このとき例えば表示装置１Ａ，１ＢがＮＴＰ等によりクロックの同期を取り、表示装置１Ａが表示終了時刻（即ちテロップ情報が領域６５の左端に達する時刻）をテロップ情報と共に表示装置１Ｂへ通知することで、表示装置１Ｂは連続してテロップ情報を表示することができる。
【００７５】
このように本例の表示装置は、サーバーを介さずにコンテンツを他の表示装置へ送信することができ、サーバーの負荷を増加させずに連携した表示を行うことができる。
【００７６】
〈具体例３〉
図１０は、ユーザの位置に応じた表示を行う例を示す図である。本例の表示装置１は、複数のカメラ(検出部)４３を備えており、ユーザ識別部が該カメラ４３の撮影画像を画像処理してユーザの位置を識別し、画像処理部が該ユーザの位置に合わせてコンテンツの表示を行う。
【００７７】
例えば、ユーザが移動している場合には、このユーザの移動に合わせてコンテンツを移動させて表示する。なお、このユーザが認証済みの場合には、該ユーザと対応付けたコンテンツ及びパーソナルキャンパスを一括して移動させる。
【００７８】
また、ユーザが遠くにいる場合には、コンテンツの表示サイズを大きく、即ち画像であれば表示画素数を多くし、テキストであればフォントサイズを大きくする。逆にユーザが近くにいる場合には、コンテンツの表示サイズ小さくするように、ユーザの距離に応じてコンテンツの表示サイズを調整することができる。
【００７９】
また、ユーザの位置の検出は、カメラ４３に限らず、赤外線や超音波方式による位置センサ、無線方式によるアクティブＲＦＩＤやＵＷＢによるものでも良い。
【００８０】
〈具体例４〉
図１１は、履歴情報に応じてコンテンツを表示する例を示している。本例の表示装置１は、表示領域の両端に、履歴情報Ａ−１〜Ａ−９，Ｂ−１〜Ｂ−９を表示し、該履歴情報が選択されると、対応するコンテンツを表示領域に表示する。なお、表示部に表示されていない履歴情報Ａ−８〜Ａ−９，Ｂ−１〜Ｂ−２は、操作板３０の矢印キーの操作によって表示させることができる。
【００８１】
該履歴情報としては、コンテンツのタイトルや縮小画像、説明文などの表示情報とコンテンツの記憶場所の情報（リンク先情報）を有している。
【００８２】
ユーザが操作板３０の矢印キーで履歴情報を選択すると、表示装置１は選択された履歴情報のリンク先情報に基づいて、メモリ１２或いは管理サーバー２からコンテンツを取得して表示領域に表示させる。
【００８３】
該履歴情報は、共通キャンパスに表示されたコンテンツの情報が順次追加される。
【００８４】
また、表示装置１のユーザ連携部は、この履歴情報をユーザの携帯電話やＰＤＡ等のユーザ端末へ送信できる。該履歴情報を受信したユーザ端末４上で、ユーザが履歴情報を選択し、選択した履歴情報をユーザ端末４から表示装置１のユーザ連携部に送信することで、該履歴情報と対応するコンテンツを表示装置１に再表示させることができる。
【００８５】
該履歴情報は、共通キャンパスの履歴に限らず、パーソナルキャンパスに表示させたコンテンツ、即ちユーザと対応付けたコンテンツの履歴情報であっても良い
〈その他〉
本発明は、上述の図示例にのみ限定されるものではなく、本発明の要旨を逸脱しない範囲内において種々変更を加え得ることは勿論である。
例えば、以下に付記した構成であっても上述の実施形態と同様の効果が得られる。また、これらの構成要素は可能な限り組み合わせることができる。
【００８６】
（付記１）
表示オブジェクトに対するユーザの操作を受け付ける操作部と、
前記操作を行ったユーザを識別するユーザ識別部と、
前記ユーザ識別部で識別したユーザを示すユーザ属性と前記表示オブジェクトとを対応付ける属性記録部と、
前記表示オブジェクトについて対応するユーザ属性に応じた処理を行って画像データを生成する画像処理部と
前記画像データの表示を行う表示部と、
を備える表示装置。（１）
【００８７】
（付記２）
前記ユーザ識別部が、前記ユーザの識別情報を受信し、登録済みの情報と比較してユーザ認証を行う付記１に記載の表示装置。
【００８８】
（付記３）
前記ユーザによる前記表示オブジェクトの表示操作を前記操作部が受け付けた場合、
前記画像処理部が、前記表示部の表示領域中の少なくとも一部に設定した前記ユーザのパーソナルキャンパスに当該表示オブジェクトを表示させる付記１又は２に記載の表示装置。
【００８９】
（付記４）
ＩＤカード、ＲＦＩＤタグ、メモリー等の記録媒体からユーザ情報を読み取る読取部を備え、
前記操作部が、ユーザの操作による入力情報の受付に代えて、前記読取部で読み取ったユーザ情報を受け付ける付記１から３の何れかに記載の表示装置。
【００９０】
（付記５）
前記操作部が、前記ユーザ情報を選択的に受け付ける付記４に記載の表示装置。
【００９１】
（付記６）
前記画像処理部が、前記パーソナルキャンパスに、ユーザ情報に応じたメニューを表示させる付記３に記載の表示装置。
【００９２】
（付記７）
前記操作部が、ユーザによる前記表示オブジェクトの移動操作を受け付けた場合に、
前記画像処理部が、該移動操作に応じて当該ユーザの表示オブジェクトを前記表示領域中で移動して表示させる付記３に記載の表示装置。
【００９３】
（付記８）
前記操作部が、ユーザによる前記表示オブジェクトの選択を受け付けた場合に、
前記画像処理部が、当該ユーザと対応付けられた表示オブジェクトを前記表示領域中の所定の位置に移動して表示させる付記３に記載の表示装置。
【００９４】
（付記９）
前記画像処理部が、前記表示オブジェクトのランキング情報に応じて複数の表示オブジェクトの並べ替えを行う付記１から８の何れかに記載の表示装置。
【００９５】
（付記１０）
前記画像処理部が、前記表示オブジェクトのユーザ情報に応じて複数の表示オブジェクトの並べ替えを行う付記１から８の何れかに記載の表示装置。
【００９６】
（付記１１）
前記ユーザ識別部が、ユーザの位置を識別し、
前記画像処理部が、ユーザの位置に応じて当該ユーザと対応付けられた表示オブジェクトの表示サイズを制御する付記１から１０の何れかに記載の表示装置。
【００９７】
（付記１２）
前記画像処理部が、前記表示部にリンク情報を表示させ、該リンク情報が選択された場合に、該リンク情報と対応付けられた表示オブジェクトを表示させる付記１から１１の何れかに記載の表示装置。
【００９８】
（付記１３）
前記リンク情報が、過去に表示部に表示された表示オブジェクトの履歴情報である付記１２に記載の表示装置。
【００９９】
（付記１４）
前記操作部が、ユーザの音声による操作を受け付ける付記１から１３の何れかに記載の表示装置。
【０１００】
（付記１５）
前記属性記録部が、グループ化する複数の表示オブジェクトに対してグループＩＤを付加し、
前記画像処理部が、該グループＩＤで特定される複数の表示オブジェクトを一括して処理する付記１から１４の何れかに記載の表示装置。
【０１０１】
（付記１６）
前記画像処理部が、前記ユーザ情報で特定される複数の表示オブジェクトを一括して処理する付記１から１４の何れかに記載の表示装置。
【０１０２】
（付記１７）
複数の表示オブジェクトが互いの従属関係を示す従属情報を有し、
前記画像処理部が、該従属情報に基づいて複数の表示オブジェクトを表示させる付記１から１６の何れかに記載の表示装置。
【０１０３】
（付記１８）
前記画像処理部が、前記従属情報に基づき、主の表示オブジェクトに対して所定の位置関係で従の表示オブジェクトを表示させる付記１７に記載の表示装置。
【０１０４】
（付記１９）
複数の表示オブジェクトを比較し、これら表示オブジェクトの相関関係を求めるオブジェクト分析部を備えた付記１から１８の何れかに記載の表示装置。
【０１０５】
（付記２０）
複数の表示オブジェクトを比較し、これら表示オブジェクトの相違を求めるオブジェクト分析部を備えた付記１から１９の何れかに記載の表示装置。
【０１０６】
（付記２１）
複数の表示オブジェクトを比較し、ランキング情報を生成するオブジェクト分析部を備えた付記１から２０の何れかに記載の表示装置。
【０１０７】
（付記２２）
複数の操作部を備え、複数のユーザが同時に入力操作を行える付記１から２０の何れかに記載の表示装置。
【０１０８】
（付記２３）
前記複数の操作部が、ポインティングデバイスである付記２２に記載の表示装置。
【０１０９】
（付記２４）
前記画像データを他の表示装置に送信して表示させる表示連携部を備えた付記１から２３の何れかに記載の表示装置。
【０１１０】
（付記２５）
前記表示部に表示した表示オブジェクトを複写して又は切り取って他の表示装置に送信し、表示させる表示連携部を備えた付記１から２４の何れかに記載の表示装置。
【０１１１】
（付記２６）
前記表示部の表示領域中を移動させて表示オブジェクトを表示する場合に、該表示オブジェクトを該移動方向に並設した他の表示装置に送信して表示させる表示連携部を備えた付記１から２５の何れかに記載の表示装置。
【０１１２】
（付記２７）
前記ユーザ識別部が、ユーザの移動を識別し、
前記画像処理部が、該ユーザと対応するパーソナルキャンパスを該ユーザの移動に伴って前記表示部の表示領域中を移動させて表示する付記１から２６の何れかに記載の表示装置。
【０１１３】
（付記２８）
ユーザを撮影する撮影部を備え、
前記ユーザ識別部が該撮影部の撮影画像に基づいてユーザの動きを認識し、
前記画像処理部が、該ユーザの動きに応じ、当該ユーザと対応する表示オブジェクトの表示を行う付記１から２６の何れかに記載の表示装置。
【０１１４】
（付記２９）
ユーザを撮影する撮影部を備え、
前記ユーザ識別部が該撮影部の撮影画像に基づいてユーザの分布を認識し、
前記画像処理部が、該ユーザの分布に応じて表示オブジェクトの表示を行う付記１から２８の何れかに記載の表示装置。
【０１１５】
（付記３０）
ユーザ端末との通信を行うユーザ連携部を備え、
該ユーザ連携部が、前記表示部に表示した表示オブジェクトの履歴情報を前記ユーザ端末に送信する付記１から２９の何れかに記載の表示装置。
【０１１６】
（付記３１）
ユーザ端末との通信を行うユーザ連携部を備え、
該ユーザ連携部が、ユーザが操作した表示オブジェクトの履歴情報をユーザ情報に基づいて当該ユーザのユーザ端末へ送信する付記１から２９の何れかに記載の表示装置。
【０１１７】
（付記３２）
前記ユーザ連携部が、前記ユーザ端末から履歴情報を受信し、
前記画像処理部が、該履歴情報に基づいて表示オブジェクトを表示させる付記３１に記載の表示装置。
【０１１８】
（付記３３）
前記表示オブジェクトをネットワーク上の管理装置から受信するオブジェクト取得部を備えた付記１から３２の何れかに記載の表示装置。（２）
【０１１９】
（付記３４）
表示装置が、
表示オブジェクトに対するユーザの操作を受け付けるステップと、
前記操作を行ったユーザを識別するステップと、
前記識別したユーザを示すユーザ属性と前記表示オブジェクトを対応付けるステップと、
前記表示オブジェクトについて対応するユーザ属性に応じた処理を行って画像データを生成するステップと
前記画像データを表示部に表示させるステップと、
を行う表示方法。（３）
【０１２０】
（付記３５）
前記ユーザの識別情報を受信し、登録済みの情報と比較してユーザ認証を行う付記３４に記載の表示方法。
【０１２１】
（付記３６）
前記ユーザによる前記表示オブジェクトの表示操作を受け付けた場合、
前記表示部の表示領域中の少なくとも一部に設定した前記ユーザのパーソナルキャンパスに当該表示オブジェクトを表示させる付記３４又は３５に記載の表示方法。
【０１２２】
（付記３７）
ＩＤカード、ＲＦＩＤタグ、メモリー等の記録媒体からユーザ情報を読み取るステップを更に含み、
前記ユーザの操作を受け付けるステップにて、ユーザの操作による入力情報の受付に代えて、前記記録媒体から読み取ったユーザ情報を受け付ける付記３４から３６の何れかに記載の表示方法。
【０１２３】
（付記３８）
前記ユーザの操作を受け付けるステップにて、前記ユーザ情報を選択的に受け付ける付記３７に記載の表示方法。
【０１２４】
（付記３９）
前記パーソナルキャンパスに、ユーザ情報に応じたメニューを表示させる付記３６に記載の表示方法。
【０１２５】
（付記４０）
前記ユーザの操作を受け付けるステップにて、ユーザによる前記表示オブジェクトの移動操作を受け付けた場合に、
該移動操作に応じて当該ユーザの表示オブジェクトを前記表示領域中で移動して表示させる付記３６に記載の表示方法。
【０１２６】
（付記４１）
前記ユーザの操作を受け付けるステップにて、ユーザによる前記表示オブジェクトの選択を受け付けた場合に、
当該ユーザと対応付けられた表示オブジェクトを前記表示領域中の所定の位置に移動して表示させる付記３６に記載の表示方法。
【０１２７】
（付記４２）
前記表示オブジェクトのランキング情報に応じて複数の表示オブジェクトの並べ替えを行う付記３４から４１の何れかに記載の表示方法。
【０１２８】
（付記４３）
前記表示オブジェクトのユーザ情報に応じて複数の表示オブジェクトの並べ替えを行う付記３４から４１の何れかに記載の表示方法。
【０１２９】
（付記４４）
ユーザの位置を識別し、
該ユーザの位置に応じて当該ユーザと対応付けられた表示オブジェクトの表示サイズを制御する付記３４から４３の何れかに記載の表示方法。
【０１３０】
（付記４５）
前記表示部にリンク情報を表示させ、該リンク情報が選択された場合に、該リンク情報と対応付けられた表示オブジェクトを表示させる付記３４から４４の何れかに記載の表示方法。
【０１３１】
（付記４６）
前記リンク情報が、過去に表示部に表示された表示オブジェクトの履歴情報である付記４５に記載の表示方法。
【０１３２】
（付記４７）
前記ユーザの操作を受け付けるステップにて、ユーザの音声による操作を受け付ける付記３４から４６の何れかに記載の表示方法。
【０１３３】
（付記４８）
グループ化する複数の表示オブジェクトに対してグループＩＤを付加し、
該グループＩＤで特定される複数の表示オブジェクトを一括して処理する付記３４から４７の何れかに記載の表示方法。
【０１３４】
（付記４９）
前記ユーザ情報で特定される複数の表示オブジェクトを一括して処理する付記３４から４７の何れかに記載の表示方法。
【０１３５】
（付記５０）
複数の表示オブジェクトが互いの従属関係を示す従属情報を有し、
該従属情報に基づいて複数の表示オブジェクトを表示させる付記３４から４９の何れか
に記載の表示方法。
【０１３６】
（付記５１）
前記従属情報に基づき、主の表示オブジェクトに対して所定の位置関係で従の表示オブジェクトを表示させる付記５０に記載の表示方法。
【０１３７】
（付記５２）
複数の表示オブジェクトを比較し、これら表示オブジェクトの相関関係を求めるステップを更に行う付記３４から５１の何れかに記載の表示方法。
【０１３８】
（付記５３）
複数の表示オブジェクトを比較し、これら表示オブジェクトの相違を求めるステップを更に行う付記３４から５２の何れかに記載の表示方法。
【０１３９】
（付記５４）
複数の表示オブジェクトを比較し、ランキング情報を生成するステップを更に行う付記３４から５３の何れかに記載の表示方法。
【０１４０】
（付記５５）
複数の操作部をそれぞれ操作する複数のユーザによる入力操作を受け付ける付記３４から５４の何れかに記載の表示方法。
【０１４１】
（付記５６）
前記複数の操作部が、ポインティングデバイスである付記５５に記載の表示方法。
【０１４２】
（付記５７）
前記画像データを他の表示装置に送信して表示させるステップを更に行う付記３４から５６の何れかに記載の表示方法。
【０１４３】
（付記５８）
前記表示部に表示した表示オブジェクトを複写して又は切り取って他の表示装置に送信し、表示させるステップを更に行う付記３４から５７の何れかに記載の表示方法。
【０１４４】
（付記５９）
前記表示部の表示領域中を移動させて表示オブジェクトを表示する場合に、該表示オブジェクトを該移動方向に並設した他の表示装置に送信して表示させるステップを更に行う付記３４から５８の何れかに記載の表示方法。
【０１４５】
（付記６０）
前記ユーザを識別するステップにて、ユーザの移動を識別し、
該ユーザと対応するパーソナルキャンパスを該ユーザの移動に伴って前記表示部の表示領域中を移動させて表示する付記３４から５９の何れかに記載の表示方法。
【０１４６】
（付記６１）
ユーザを撮影するステップを更に含み、
該撮影画像に基づいてユーザの動きを認識し、
該ユーザの動きに応じ、当該ユーザと対応する表示オブジェクトの表示を行う付記３４から５９の何れかに記載の表示方法。
【０１４７】
（付記６２）
ユーザを撮影するステップを更に含み、
該撮影画像に基づいてユーザの分布を認識し、
該ユーザの分布に応じて表示オブジェクトの表示を行う付記３４から６１の何れかに記載の表示方法。
【０１４８】
（付記６３）
ユーザ端末との通信を行うステップを更に含み、
該ステップにて、前記表示部に表示した表示オブジェクトの履歴情報を前記ユーザ端末に送信する付記３４から６２の何れかに記載の表示方法。
【０１４９】
（付記６４）
ユーザ端末との通信を行うステップを更に含み、
該ステップにて、ユーザが操作した表示オブジェクトの履歴情報をユーザ情報に基づいて当該ユーザのユーザ端末へ送信する付記３４から６２の何れかに記載の表示方法。
【０１５０】
（付記６５）
前記ユーザ端末との通信を行うステップにて、前記ユーザ端末から履歴情報を受信した場合、
該履歴情報に基づいて表示オブジェクトを表示させる付記６４に記載の表示方法。
【０１５１】
（付記６６）
前記表示オブジェクトをネットワーク上の管理装置から受信するステップを更に行う付記３４から６５の何れかに記載の表示方法。
【０１５２】
（付記６７）
表示オブジェクトに対するユーザの操作を受け付けるステップと、
前記操作を行ったユーザを識別するステップと、
前記識別したユーザを示すユーザ属性と前記表示オブジェクトを対応付けるステップと、
前記表示オブジェクトについて対応するユーザ属性に応じた処理を行って画像データを生成するステップと
前記画像データを表示部に表示させるステップと、
をコンピュータに実行させる表示プログラム。（４）
【０１５３】
（付記６８）
前記ユーザの識別情報を受信し、登録済みの情報と比較してユーザ認証を行う付記６７に記載の表示プログラム。
【０１５４】
（付記６９）
前記ユーザによる前記表示オブジェクトの表示操作を受け付けた場合、
前記表示部の表示領域中の少なくとも一部に設定した前記ユーザのパーソナルキャンパスに当該表示オブジェクトを表示させる付記６７又は６８の何れかに記載の表示プログラム。
【０１５５】
（付記７０）
ＩＤカード、ＲＦＩＤタグ、メモリー等の記録媒体からユーザ情報を読み取るステップを更に含み、
前記ユーザの操作を受け付けるステップにて、ユーザの操作による入力情報の受付に代えて、前記記録媒体から読み取ったユーザ情報を受け付ける付記６７から６９の何れかに記載の表示プログラム。
【０１５６】
（付記７１）
前記ユーザの操作を受け付けるステップにて、前記ユーザ情報を選択的に受け付ける付記７０に記載の表示プログラム。
【０１５７】
（付記７２）
前記パーソナルキャンパスに、ユーザ情報に応じたメニューを表示させる付記６９に記載の表示プログラム。
【０１５８】
（付記７３）
前記ユーザの操作を受け付けるステップにて、ユーザによる前記表示オブジェクトの移動操作を受け付けた場合に、
該移動操作に応じて当該ユーザの表示オブジェクトを前記表示領域中で移動して表示させる付記６９に記載の表示プログラム。
【０１５９】
（付記７４）
前記ユーザの操作を受け付けるステップにて、ユーザによる前記表示オブジェクトの選択を受け付けた場合に、
当該ユーザと対応付けられた表示オブジェクトを前記表示領域中の所定の位置に移動して表示させる付記６９に記載の表示プログラム。
【０１６０】
（付記７５）
前記表示オブジェクトのランキング情報に応じて複数の表示オブジェクトの並べ替えを行う付記６７から７４の何れかに記載の表示プログラム。
【０１６１】
（付記７６）
前記表示オブジェクトのユーザ情報に応じて複数の表示オブジェクトの並べ替えを行う付記６７から７４の何れかに記載の表示プログラム。
【０１６２】
（付記７７）
ユーザの位置を識別し、
該ユーザの位置に応じて当該ユーザと対応付けられた表示オブジェクトの表示サイズを制御する付記６７から７６の何れかに記載の表示プログラム。
【０１６３】
（付記７８）
前記表示部にリンク情報を表示させ、該リンク情報が選択された場合に、該リンク情報と対応付けられた表示オブジェクトを表示させる付記６７から７７の何れかに記載の表示プログラム。
【０１６４】
（付記７９）
前記リンク情報が、過去に表示部に表示された表示オブジェクトの履歴情報である付記７８に記載の表示プログラム。
【０１６５】
（付記８０）
前記ユーザの操作を受け付けるステップにて、ユーザの音声による操作を受け付ける付記６７から７８の何れかに記載の表示プログラム。
【０１６６】
（付記８１）
グループ化する複数の表示オブジェクトに対してグループＩＤを付加し、
該グループＩＤで特定される複数の表示オブジェクトを一括して処理する付記６７から
８０の何れかに記載の表示プログラム。
【０１６７】
（付記８２）
前記ユーザ情報で特定される複数の表示オブジェクトを一括して処理する付記６７から８０の何れかに記載の表示プログラム。
【０１６８】
（付記８３）
複数の表示オブジェクトが互いの従属関係を示す従属情報を有し、
該従属情報に基づいて複数の表示オブジェクトを表示させる付記６７から８２の何れかに記載の表示プログラム。
【０１６９】
（付記８４）
前記従属情報に基づき、主の表示オブジェクトに対して所定の位置関係で従の表示オブジェクトを表示させる付記８３に記載の表示プログラム。
【０１７０】
（付記８５）
複数の表示オブジェクトを比較し、これら表示オブジェクトの相関関係を求めるステップを更に行う付記６７から８４の何れかに記載の表示プログラム。
【０１７１】
（付記８６）
複数の表示オブジェクトを比較し、これら表示オブジェクトの相違を求めるステップを更に行う付記６７から８５の何れかに記載の表示プログラム。
【０１７２】
（付記８７）
複数の表示オブジェクトを比較し、ランキング情報を生成するステップを更に行う付記６７から８６の何れかに記載の表示プログラム。
【０１７３】
（付記８８）
複数の操作部をそれぞれ操作する複数のユーザによる入力操作を受け付ける付記６７から８７の何れかに記載の表示プログラム。
【０１７４】
（付記８９）
前記複数の操作部が、ポインティングデバイスである付記８８に記載の表示プログラム。
【０１７５】
（付記９０）
前記画像データを他の表示装置に送信して表示させるステップを更に行う付記６７から８９の何れかに記載の表示プログラム。
【０１７６】
（付記９１）
前記表示部に表示した表示オブジェクトを複写して又は切り取って他の表示装置に送信し、表示させるステップを更に行う付記６７から９０の何れかに記載の表示プログラム。
【０１７７】
（付記９２）
前記表示部の表示領域中を移動させて表示オブジェクトを表示する場合に、該表示オブジェクトを該移動方向に並設した他の表示装置に送信して表示させるステップを更に行う付記６７から９１の何れかに記載の表示プログラム。
【０１７８】
（付記９３）
前記ユーザを識別するステップにて、ユーザの移動を識別し、
該ユーザと対応するパーソナルキャンパスを該ユーザの移動に伴って前記表示部の表示領域中を移動させて表示する付記６７から９２の何れかに記載の表示プログラム。
【０１７９】
（付記９４）
ユーザを撮影するステップを更に含み、
該撮影画像に基づいてユーザの動きを認識し、
該ユーザの動きに応じ、当該ユーザと対応する表示オブジェクトの表示を行う付記６７から９２の何れかに記載の表示プログラム。
【０１８０】
（付記９５）
ユーザを撮影するステップを更に含み、
該撮影画像に基づいてユーザの分布を認識し、
該ユーザの分布に応じて表示オブジェクトの表示を行う付記６７から９４の何れかに記載の表示プログラム。
【０１８１】
（付記９６）
ユーザ端末との通信を行うステップを更に含み、
該ステップにて、前記表示部に表示した表示オブジェクトの履歴情報を前記ユーザ端末に送信する付記６７から９５の何れかに記載の表示プログラム。
【０１８２】
（付記９７）
ユーザ端末との通信を行うステップを更に含み、
該ステップにて、ユーザが操作した表示オブジェクトの履歴情報をユーザ情報に基づいて当該ユーザのユーザ端末へ送信する付記６７から９５の何れかに記載の表示プログラム。
【０１８３】
（付記９８）
前記ユーザ端末との通信を行うステップにて、前記ユーザ端末から履歴情報を受信した場合、
該履歴情報に基づいて表示オブジェクトを表示させる付記９７に記載の表示プログラム。
【０１８４】
（付記９９）
前記表示オブジェクトをネットワーク上の管理装置から受信するステップを更に行う付記６７から９８の何れかに記載の表示プログラム。
【０１８５】
（付記１００）
ネットワークを介して接続する表示装置と管理装置とからなる表示システムであって、
前記表示装置が、
前記管理装置から表示オブジェクトを受信するオブジェクト取得部と、
表示オブジェクトに対するユーザの操作を受け付ける操作部と、
前記操作を行ったユーザを識別するユーザ識別部と、
前記ユーザ識別部で識別したユーザを示すユーザ属性と前記表示オブジェクトを対応付けて記録する属性記録部と、
前記表示オブジェクトについて対応するユーザ属性に応じた処理を行って画像データを生成する画像処理部と
前記画像データの表示を行う表示部と、
を備える表示システム。（５）
【図面の簡単な説明】
【０１８６】
【図１】本発明に係る表示システムの概略図
【図２】表示装置のハードウェア構成を示す図
【図３】表示装置のソフトウェア構成を示す図
【図４】管理サーバーの概略構成図
【図５】表示システムにおける表示方法の説明図
【図６】表示装置の前面図
【図７】複数のコンテンツの表示例を示す図
【図８】パーソナルキャンパスの説明図
【図９】複数の表示装置を並設した場合の連携例を示す図
【図１０】ユーザの位置に応じた表示を行う例を示す図
【図１１】履歴情報に応じてコンテンツを表示する例を示す図
【図１２】従来の表示システムを示す図
【図１３】従来の表示システムを示す図
【符号の説明】
【０１８７】
１  表示装置
２  管理サーバー
３  情報配信サーバー
１０  表示システム
１１  プロセサ
１２  メモリ（記録部）
１３  入出力部
【図１】
2006287638.tif 000003
【図２】
2006287638.tif 000004
【図３】
2006287638.tif 000005
【図４】
2006287638.tif 000006
【図５】
2006287638.tif 000007
【図６】
2006287638.tif 000008
【図７】
2006287638.tif 000009
【図８】
2006287638.tif 000010
【図９】
2006287638.tif 000011
【図１０】
2006287638.tif 000012
【図１１】
2006287638.tif 000013
【図１２】
2006287638.tif 000014
【図１３】
2006287638.tif 000015